【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
より広いシステム帯域幅内の少なくとも１つの狭帯域領域を識別することと、
基地局から、前記狭帯域領域において１つまたは複数の他のＵＥによって送信または受信されたシンボルと多重化される、物理アップリンクチャネルのシンボルを送信すること、および少なくとも１つの物理ダウンリンクチャネルのシンボルを受信すること、のうちの１つのために前記ＵＥに割り当てられた前記狭帯域領域のサブ領域を示すシグナリングを受信することと、
周波数ホッピングパターンを識別することと、
前記割り当てられたサブ領域において、前記物理アップリンクチャネルのシンボルを送信するための、または前記物理ダウンリンクチャネルのシンボルを受信するための、周波数リソースを選択するために、前記周波数ホッピングパターンを使用することと、
前記割り当てられたサブ領域において前記物理アップリンクチャネルを送信すること、および前記物理ダウンリンクチャネルを受信すること、のうちの１つと、
を備え、
ここにおいて、前記割り当てられたサブ領域において前記物理アップリンクチャネルのシンボルを送信するための、またはシンボル前記物理ダウンリンクチャネルを受信するための、周波数リソースを選択するために、前記周波数ホッピングパターンを使用することは、
第１のサブフレームまたはスロットにおいて使用される第１の周波数から第２のサブフレームまたはスロットにおいて使用される第２の周波数に再チューニングすること、ここにおいて、前記第１の周波数から前記第２の周波数に前記再チューニングすることは、前記第１のサブフレームまたはスロットの最後の１つまたは複数のシンボル、または前記第２のサブフレームまたはスロットの最初の１つまたは複数のシンボル中にそれぞれ生じうる、
を備える、方法。
【請求項２】
前記狭帯域領域の前記サブ領域内のリソースインデックスを受信することをさらに備える、請求項１に記載の方法。
【請求項３】
前記リソースインデックスは、リソースインデックスホッピングパターン関数にしたがって、スロットごとに異なるか、またはサブフレームごとに異なるか、のうちの少なくとも１つであり、
前記リソースインデックスホッピング関数は、初期リソースインデックスに少なくとも部分的に依存する、請求項２に記載の方法。
【請求項４】
前記リソースインデックスホッピング関数は、サブフレームインデックスにも依存する、請求項３に記載の方法。
【請求項５】
前記リソースインデックスホッピング関数は、インターリーバ関数に基づく、請求項３に記載の方法。
【請求項６】
拡散符号への前記リソースインデックスの値のマッピングに基づいて、前記割り当てられたサブ領域において前記物理アップリンクチャネルのシンボルを送信するための拡散符号を決定することと、
前記割り当てられたサブ領域において前記物理アップリンクチャネルのシンボルを送信するとき、前記拡散符号を適用することと、
をさらに備える、請求項２に記載の方法。
【請求項７】
前記拡散符号は、シンボル別に、またはサブフレーム別にで適用される、請求項６に記載の方法。
【請求項８】
前記周波数ホッピングパターンは、セルＩＤに依存する、請求項１に記載の方法。
【請求項９】
前記周波数ホッピングパターンは、第１のサブフレームにおける前記割り当てられたサブ領域中で前記物理アップリンクチャネルのシンボルを送信するために使用すべき第１の周波数リソースを選択するために使用され、
前記ホッピングパターンは、第２のサブフレームにおける前記割り当てられたサブ領域中で前記物理アップリンクチャネルのシンボルを送信するために使用すべき第２の周波数リソースを選択するために使用される、
請求項１に記載の方法。
【請求項１０】
前記ホッピングパターンは、サブフレームの第１の部分における前記割り当てられたサブ領域中で前記物理アップリンクチャネルのシンボルを送信するために使用すべき第１の周波数リソースを選択するために使用され、
前記ホッピングパターンは、前記サブフレームの第２の部分における前記割り当てられたサブ領域中で前記物理アップリンクチャネルのシンボルを送信するために使用すべき第２の周波数リソースを選択するために使用される、
請求項１に記載の方法。
【請求項１１】
前記ＵＥは、少なくとも前記第１のサブフレームまたはスロットの最後のシンボル、および／または少なくとも前記第２のサブフレームまたはスロットの最初のシンボル中にシンボルを送信しない、請求項１に記載の方法。
【請求項１２】
前記ＵＥは、前記狭帯域領域において多重化された他のＵＥによって使用されない拡散符号を使用する、請求項１に記載の方法。
【請求項１３】
基地局（ＢＳ）によるワイヤレス通信のための方法であって、
より広いシステム帯域幅内の少なくとも１つの狭帯域領域を識別することと、
ユーザ機器（ＵＥ）に、前記狭帯域領域において１つまたは複数の他のＵＥによって送信または受信されたシンボルと多重化される、物理アップリンクチャネルのシンボルを送信すること、および物理ダウンリンクチャネルのシンボルを受信すること、のうちの１つのために前記ＵＥに割り当てられた前記狭帯域領域のサブ領域のインジケーションをシグナリングすることと、
周波数ホッピングパターンを識別することと、
前記割り当てられたサブ領域において、前記物理アップリンクチャネルのシンボルを受信するための、または前記物理ダウンリンクチャネルのシンボルを送信するための、周波数リソースを選択するために、前記周波数ホッピングパターンを使用することと、
前記割り当てられたサブ領域において前記物理アップリンクチャネルを受信すること、および前記物理ダウンリンクチャネルを送信すること、のうちの１つと、
を備え、
ここにおいて、前記割り当てられたサブ領域において、前記物理アップリンクチャネルのシンボルを受信するための、または前記物理ダウンリンクチャネルのシンボルを送信するための、周波数リソースを選択するために、前記周波数ホッピングパターンを使用することは、
第１のサブフレームまたはスロットにおいて使用される第１の周波数から第２のサブフレームまたはスロットにおいて使用される第２の周波数に再チューニングすること、ここにおいて、前記第１の周波数から前記第２の周波数に前記再チューニングすることは、前記第１のサブフレームまたはスロットの最後の１つまたは複数のシンボル、または前記第２のサブフレームまたはスロットの最初の１つまたは複数のシンボル中にそれぞれ生じうる、
を備える、方法。
【請求項１４】
ワイヤレス通信のために構成されるユーザ機器（ＵＥ）あって、
より広いシステム帯域幅内の少なくとも１つの狭帯域領域を識別するための手段と、
基地局から、前記狭帯域領域において１つまたは複数の他のＵＥによって送信または受信されたシンボルと多重化される、物理アップリンクチャネルのシンボルを送信すること、および少なくとも１つの物理ダウンリンクチャネルのシンボルを受信すること、のうちの１つのために前記ＵＥに割り当てられた前記狭帯域領域のサブ領域を示すシグナリングを受信するための手段と、
周波数ホッピングパターンを識別するための手段と、
前記割り当てられたサブ領域において、前記物理アップリンクチャネルのシンボルを送信するための、または前記物理ダウンリンクチャネルのシンボルを受信するための、周波数リソースを選択するために、前記周波数ホッピングパターンを使用するための手段と、
前記割り当てられたサブ領域において前記物理アップリンクチャネルを送信すること、および前記物理ダウンリンクチャネルを受信すること、のうちの１つのための手段と、
を備え、
ここにおいて、前記割り当てられたサブ領域において、前記物理アップリンクチャネルのシンボルを送信するための、または前記物理ダウンリンクチャネルのシンボルを受信するための、周波数リソースを選択するために、前記周波数ホッピングパターンを使用するための前記手段は、
第１のサブフレームまたはスロットにおいて使用される第１の周波数から第２のサブフレームまたはスロットにおいて使用される第２の周波数に再チューニングするための手段、ここにおいて、前記第１の周波数から前記第２の周波数に前記再チューニングすることは、前記第１のサブフレームまたはスロットの最後の１つまたは複数のシンボル、または前記第２のサブフレームまたはスロットの最初の１つまたは複数のシンボル中にそれぞれ生じうる、
を備える、ＵＥ。
【請求項１５】
ワイヤレス通信のために構成される基地局（ＢＳ）であって、
より広いシステム帯域幅内の少なくとも１つの狭帯域領域を識別するための手段と、
ユーザ機器（ＵＥ）に、前記狭帯域領域において１つまたは複数の他のＵＥによって送信または受信されたシンボルと多重化される、物理アップリンクチャネルのシンボルを送信すること、および物理ダウンリンクチャネルのシンボルを受信すること、のうちの１つのために前記ＵＥに割り当てられた前記狭帯域領域のサブ領域のインジケーションをシグナリングするための手段と、
周波数ホッピングパターンを識別するための手段と、
前記割り当てられたサブ領域において、前記物理アップリンクチャネルのシンボルを受信するための、または前記物理ダウンリンクチャネルのシンボルを送信するための、周波数リソースを選択するために、前記周波数ホッピングパターンを使用するための手段と、
前記割り当てられたサブ領域において前記物理アップリンクチャネルを受信すること、および前記物理ダウンリンクチャネルを送信すること、のうちの１つのための手段と、
を備え、
ここにおいて、前記割り当てられたサブ領域において、前記物理アップリンクチャネルのシンボルを受信するための、または前記物理ダウンリンクチャネルのシンボルを送信するための、周波数リソースを選択するために、前記周波数ホッピングパターンを使用するための前記手段は、
第１のサブフレームまたはスロットにおいて使用される第１の周波数から第２のサブフレームまたはスロットにおいて使用される第２の周波数に再チューニングするための手段、ここにおいて、前記第１の周波数から前記第２の周波数に前記再チューニングすることは、前記第１のサブフレームまたはスロットの最後の１つまたは複数のシンボル、または前記第２のサブフレームまたはスロットの最初の１つまたは複数のシンボル中にそれぞれ生じうる、
を備える、ＢＳ。
【手続補正２】
【補正対象書類名】明細書
【補正対象項目名】００９１
【補正方法】変更
【補正の内容】
【００９１】
[0103]本開示の先の説明は、いずれの当業者も本開示を製造または使用できるように提供されている。本開示への様々な修正は、当業者には容易に明らかとなり、本明細書で定義された包括的な原理は、本開示の範囲または趣旨から逸脱することなく、他のバリエーションに適用されうる。したがって、本開示は、本明細書で説明された例および設計に限定されるようには意図されておらず、本明細書で開示された原理および新規の特徴と矛盾しない最も広い範囲を与えられるものとする。
以下に本願の出願当初の特許請求の範囲に記載された発明を付記する。
[Ｃ１]  ユーザ機器（ＵＥ）によるワイヤレス通信のための方法であって、
より広いシステム帯域幅内の少なくとも１つの狭帯域領域を識別することと、
基地局から、前記狭帯域領域において１つまたは複数の他のＵＥによって送信されたシンボルと多重化される物理アップリンクチャネルのシンボルを送信するために前記ＵＥに割り当てられた前記狭帯域領域のサブ領域を示すシグナリングを受信することと、
前記割り当てられたサブ領域において前記物理アップリンクチャネルを送信することと、
を備える方法。
[Ｃ２]  前記狭帯域領域の前記サブ領域内のリソースインデックスを受信することをさらに備える、Ｃ１に記載の方法。
[Ｃ３]  前記リソースインデックスは、リソースインデックスホッピングパターン関数にしたがって、スロットごと、またはサブフレームごとのうちの１つで異なる、Ｃ２に記載の方法。
[Ｃ４]  前記リソースインデックスホッピング関数は、初期リソースインデックスに少なくとも部分的に依存する、Ｃ３に記載の方法。
[Ｃ５]  前記リソースインデックスホッピング関数は、サブフレームインデックスにも依存する、Ｃ４に記載の方法。
[Ｃ６]  前記リソースインデックスホッピング関数は、インターリーバ関数に基づく、Ｃ３に記載の方法。
[Ｃ７]  サイクリックシフトへの前記リソースインデックスの値のマッピングに基づいて、前記割り当てられたサブ領域において前記物理アップリンクチャネルのシンボルを送信するためのサイクリックシフトを決定することと、
前記割り当てられたサブ領域において前記物理アップリンクチャネルのシンボルを送信するとき、前記サイクリックシフトを適用することと、
をさらに備える、Ｃ２に記載の方法。
[Ｃ８]  サイクリックシフトへの前記リソースインデックスの値の前記マッピングは、シフトホッピング関数にしたがって、サブフレームのスロット内のシンボルごとに異なる、Ｃ７に記載の方法。
[Ｃ９]  前記シフトホッピング関数は、初期シフトインデックスに少なくとも部分的に依存する、Ｃ８に記載の方法。
[Ｃ１０]  拡散符号への前記リソースインデックスの値のマッピングに基づいて、前記割り当てられたサブ領域において前記物理アップリンクチャネルのシンボルを送信するための拡散符号を決定することと、
前記割り当てられたサブ領域において前記物理アップリンクチャネルのシンボルを送信するとき、前記拡散符号を適用することと、
をさらに備える、Ｃ２に記載の方法。
[Ｃ１１]  前記拡散符号は、シンボルごとベースで、またはサブフレームごとベースで適用される、Ｃ１０に記載の方法。
[Ｃ１２]  前記シグナリングは、前記狭帯域領域の中へのオフセットを備え、異なるオフセットが異なるサブ領域を定義する、Ｃ１に記載の方法。
[Ｃ１３]  サブ領域は、前記物理アップリンクチャネルのためのリソースを決定するために使用される異なる関連付けられたデルタシフト値を有する、Ｃ１２に記載の方法。
[Ｃ１４]  周波数ホッピングパターンを識別することと、
前記割り当てられたサブ領域において前記物理アップリンクチャネルのシンボルを送信するめの周波数リソースを選択するために前記周波数ホッピングパターンを使用することと、
をさらに備える、Ｃ１に記載の方法。
[Ｃ１５]  前記周波数ホッピングパターンは、セルＩＤに依存する、Ｃ１４に記載の方法。
[Ｃ１６]  前記周波数ホッピングパターンは、サブフレームインデックス、スロットインデックス、またはシンボルインデックスのうちの少なくとも１つにも依存する、Ｃ１５に記載の方法。
[Ｃ１７]  前記周波数ホッピングパターンは、第１のサブフレームにおける前記割り当てられたサブ領域中で前記物理アップリンクチャネルのシンボルを送信するために使用すべき第１の周波数リソースを選択するために使用され、
前記ホッピングパターンは、第２のサブフレームにおける前記割り当てられたサブ領域中で前記物理アップリンクチャネルのシンボルを送信するために使用すべき第２の周波数リソースを選択するために使用される、
Ｃ１４に記載の方法。
[Ｃ１８]  前記ホッピングパターンは、サブフレームの第１の部分における前記割り当てられたサブ領域中で前記物理アップリンクチャネルのシンボルを送信するために使用すべき第１の周波数リソースを選択するために使用され、
前記ホッピングパターンは、前記サブフレームの第２の部分における前記割り当てられたサブ領域中で前記物理アップリンクチャネルのシンボルを送信するために使用すべき第２の周波数リソースを選択するために使用される、
Ｃ１４に記載の方法。
[Ｃ１９]  前記第１のサブフレームの前記第１の部分は、第１のスロットを備え、
前記第１のサブフレームの前記第２の部分は、第２のスロットを備える、
Ｃ１８に記載の方法。
[Ｃ２０]  前記割り当てられたサブ領域において前記物理アップリンクチャネルのシンボルを送信するめの周波数リソースを選択するために前記周波数ホッピングパターンを使用することは、
第１のサブフレームにおいて使用される第１の周波数から第２のサブフレームにおいて使用される第２の周波数に再チューニングすること、ここにおいて、前記第１の周波数から前記第２の周波数に再チューニングすることは、前記第１のサブフレームの最後の１つまたは複数のシンボル、または前記第２のサブフレームの最初の１つまたは複数のシンボル中に生じうる、
を備える、Ｃ１４に記載の方法。
[Ｃ２１]  前記ＵＥは、少なくとも前記第１のサブフレームの最後のシンボル、または少なくとも前記第２のサブフレームの最初のシンボル中にシンボルを送信しない、Ｃ２０に記載の方法。
[Ｃ２２]  前記ＵＥは、少なくとも前記第１のサブフレームの最後のシンボル、および少なくとも前記第２のサブフレームの最初のシンボル中にシンボルを送信しない、Ｃ２０に記載の方法。
[Ｃ２３]  前記割り当てられたサブ領域において前記物理アップリンクチャネルのシンボルを送信するめの周波数リソースを選択するために前記周波数ホッピングパターンを使用することは、
サブフレームの第１のスロットにおいて使用される第１の周波数から前記サブフレームの第２のスロットにおいて使用される第２の周波数に再チューニングすること、ここにおいて、前記第１の周波数から前記第２の周波数に前記再チューニングすることは、前記サブフレームの前記第１のスロットの最後の１つまたは複数のシンボル、または前記サブフレームの前記第２のスロットの最初の１つまたは複数のシンボル中に生じうる、
を備える、Ｃ１４に記載の方法。
[Ｃ２４]  前記ＵＥは、少なくとも前記第１のスロットの最後のシンボル、または前記第２のスロットの最初のシンボル中にシンボルを送信しない、Ｃ２３に記載の方法。
[Ｃ２５]  前記ＵＥは、前記狭帯域領域において多重化された他のＵＥによって使用されない拡散符号を使用する、Ｃ２４に記載の方法。
[Ｃ２６]  前記ＵＥは、少なくとも前記第１のスロット、または前記第２のスロット中にシンボルを送信しない、Ｃ２３に記載の方法。
[Ｃ２７]  基地局（ＢＳ）によるワイヤレス通信のための方法であって、
より広いシステム帯域幅内の少なくとも１つの狭帯域領域を識別することと、
ユーザ機器（ＵＥ）に、前記狭帯域領域において１つまたは複数の他のＵＥによって送信されたシンボルと多重化される物理アップリンクチャネルのシンボルを送信するために前記ＵＥに割り当てられた前記狭帯域領域のサブ領域のインジケーションをシグナリングすることと、
前記割り当てられたサブ領域において前記物理アップリンクチャネルを受信することと、
を備える方法。
[Ｃ２８]  前記狭帯域領域の前記サブ領域内のリソースインデックスをシグナリングすることをさらに備える、Ｃ２７に記載の方法。
[Ｃ２９]  前記リソースインデックスは、リソースインデックスホッピングパターン関数にしたがって、スロットごと、またはサブフレームごとのうちの１つで異なる、Ｃ２８に記載の方法。
[Ｃ３０]  前記リソースインデックスホッピング関数は、初期リソースインデックスに少なくとも部分的に依存する、Ｃ２９に記載の方法。
[Ｃ３１]  前記リソースインデックスホッピング関数は、サブフレームインデックスにも依存する、Ｃ３０に記載の方法。
[Ｃ３２]  前記リソースインデックスホッピング関数は、インターリーバ関数に基づく、Ｃ２９に記載の方法。
[Ｃ３３]  サイクリックシフトへの前記リソースインデックスの値のマッピングに基づいて、前記割り当てられたサブ領域において前記物理アップリンクチャネルのシンボルを送信するためのサイクリックシフトを決定することと、
前記割り当てられたサブ領域において前記物理アップリンクチャネルのシンボルを受信するとき、前記サイクリックシフトを適用することと、
をさらに備える、Ｃ２８に記載の方法。
[Ｃ３４]  サイクリックシフトへの前記リソースインデックスの値の前記マッピングは、シフトホッピング関数にしたがって、サブフレームのスロット内のシンボルごとに異なる、Ｃ３３に記載の方法。
[Ｃ３５]  前記シフトホッピング関数は、初期シフトインデックスに少なくとも部分的に依存する、Ｃ３４に記載の方法。
[Ｃ３６]  前記シグナリングは、前記狭帯域領域の中へのオフセットを備え、異なるオフセットが異なるサブ領域を定義する、Ｃ２７に記載の方法。
[Ｃ３７]  サブ領域は、前記物理アップリンクチャネルのためのリソースを決定するために使用される異なる関連付けられたデルタシフト値を有する、Ｃ３６に記載の方法。
[Ｃ３８]  周波数ホッピングパターンを識別することと、
前記割り当てられたサブ領域において前記物理アップリンクチャネルのシンボルを受信するめの周波数リソースを選択するために前記周波数ホッピングパターンを使用することと、
をさらに備える、Ｃ２７に記載の方法。
[Ｃ３９]  前記周波数ホッピングパターンは、セルＩＤに依存する、Ｃ３８に記載の方法。
[Ｃ４０]  前記周波数ホッピングパターンは、サブフレームインデックス、スロットインデックス、またはシンボルインデックスのうちの少なくとも１つにも依存する、Ｃ３９に記載の方法。
[Ｃ４１]  前記周波数ホッピングパターンは、第１のサブフレームにおける前記割り当てられたサブ領域中で前記物理アップリンクチャネルのシンボルを受信するために使用すべき第１の周波数リソースを選択するために使用され、
前記ホッピングパターンは、第２のサブフレームにおける前記割り当てられたサブ領域中で前記物理アップリンクチャネルのシンボルを受信するために使用すべき第２の周波数リソースを選択するために使用される、
Ｃ３８に記載の方法。
[Ｃ４２]  前記ホッピングパターンは、サブフレームの第１の部分における前記割り当てられたサブ領域中で前記物理アップリンクチャネルのシンボルを受信するために使用すべき第１の周波数リソースを選択するために使用され、
前記ホッピングパターンは、前記サブフレームの第２の部分における前記割り当てられたサブ領域中で前記物理アップリンクチャネルのシンボルを受信するために使用すべき第２の周波数リソースを選択するために使用される、
Ｃ３８に記載の方法。
[Ｃ４３]  前記第１のサブフレームの前記第１の部分は、第１のスロットを備え、
前記第１のサブフレームの前記第２の部分は、第２のスロットを備える、
Ｃ４２に記載の方法。
[Ｃ４４]  ユーザ機器（ＵＥ）によるワイヤレス通信のための方法であって、
より広いシステム帯域幅内の少なくとも１つの狭帯域領域を識別することと、
基地局から、前記狭帯域領域において１つまたは複数の他のＵＥによって送信されたシンボルと多重化される少なくとも１つの物理ダウンリンクチャネルのシンボルを受信するために前記ＵＥに割り当てられた前記狭帯域領域のサブ領域を示すシグナリングを受信することと、
前記割り当てられたサブ領域において前記物理ダウンリンクチャネルを受信することと、
を備える方法。
[Ｃ４５]  拡散符号へのリソースインデックスの値のマッピングに基づいて、前記割り当てられたサブ領域において前記物理ダウンリンクチャネルのシンボルを受信するための拡散符号を決定することと、
前記割り当てられたサブ領域において前記物理ダウンリンクチャネルのシンボルを受信するとき、前記拡散符号を適用することと、
をさらに備える、Ｃ４４に記載の方法。
[Ｃ４６]  前記拡散符号は、シンボルごとベースで適用され、複数のスロットまたはサブフレームのシンボルを含むことができる、Ｃ４５に記載の方法。
[Ｃ４７]  少なくとも１つの拡散符号が少なくとも１つのシンボルのセットにおいて適用され、および
前記セット中のシンボルは、前記セット中のシンボルにおけるトーンがセル固有基準信号（ＣＲＳ）に使用されるかどうかに少なくとも部分的に基づいて選択される、
Ｃ４５に記載の方法。
[Ｃ４８]  前記シンボルのセットは、前記セット中のシンボルが同じ数および位置のデータトーンを有することに基づいて選択される、Ｃ４７に記載の方法。
[Ｃ４９]  前記少なくとも１つの物理ダウンリンクチャネルは、少なくとも１つの物理ダウンリンク共有チャネル（ＰＤＳＣＨ）および少なくとも１つの物理ダウンリンク制御チャネル（ＰＤＣＣＨ）を備える、Ｃ４５に記載の方法。
[Ｃ５０]  前記少なくとも１つのＰＤＳＣＨのための拡散は、前記少なくとも１つのＰＤＣＣＨのための拡散から独立している、Ｃ４９に記載の方法。
[Ｃ５１]  異なる拡散符号または異なる拡散率のうちの少なくとも１つが、前記少なくとも１つのＰＤＳＣＨおよび前記少なくとも１つのＰＤＣＣＨに適用される、Ｃ５０に記載の方法。
[Ｃ５２]  前記少なくとも１つのＰＤＣＣＨは、複数のサブフレームに広がる単一の送信として、１の拡散率で送信される、Ｃ４９に記載の方法。
[Ｃ５３]  基地局（ＢＳ）によるワイヤレス通信のための方法であって、
より広いシステム帯域幅内の少なくとも１つの狭帯域領域を識別することと、
ユーザ機器（ＵＥ）に、前記狭帯域領域において１つまたは複数の他のＵＥによって送信されたシンボルと多重化される物理ダウンリンクチャネルのシンボルを受信するために前記ＵＥに割り当てられた前記狭帯域領域のサブ領域のインジケーションをシグナリングすることと、
前記割り当てられたサブ領域において前記物理ダウンリンクチャネルを送信することと、
を備える方法。
[Ｃ５４]  拡散符号へのリソースインデックスの値のマッピングに基づいて、前記割り当てられたサブ領域において前記物理ダウンリンクチャネルのシンボルを受信するための拡散符号を決定することと、
前記割り当てられたサブ領域において前記物理ダウンリンクチャネルのシンボルを送信するとき、前記拡散符号を適用することと、
をさらに備える、Ｃ５３に記載の方法。
[Ｃ５５]  前記拡散符号は、シンボルごとベースで適用され、複数のスロットまたはサブフレームのシンボルを含むことができる、Ｃ５４に記載の方法。
[Ｃ５６]  少なくとも１つの拡散符号が少なくとも１つのシンボルのセットにおいて適用され、  前記セット中のシンボルは、前記セット中のシンボルにおけるトーンがセル固有基準信号（ＣＲＳ）に使用されるかどうかに少なくとも部分的に基づいて選択される、
Ｃ５４に記載の方法。
[Ｃ５７]  前記シンボルのセットは、前記セット中のシンボルが同じ数および位置のデータトーンを有することに基づいて選択される、Ｃ５６に記載の方法。
[Ｃ５８]  前記少なくとも１つの物理ダウンリンクチャネルは、少なくとも１つの物理ダウンリンク共有チャネル（ＰＤＳＣＨ）および少なくとも１つの物理ダウンリンク制御チャネル（ＰＤＣＣＨ）を備える、Ｃ５４に記載の方法。
[Ｃ５９]  前記少なくとも１つのＰＤＳＣＨのための拡散は、前記少なくとも１つのＰＤＣＣＨのための拡散から独立している、Ｃ５８に記載の方法。
[Ｃ６０]  異なる拡散符号または異なる拡散率のうちの少なくとも１つは、前記少なくとも１つのＰＤＳＣＨおよび前記少なくとも１つのＰＤＣＣＨに適用される、Ｃ５９に記載の方法。
[Ｃ６１]  前記少なくとも１つのＰＤＣＣＨは、複数のサブフレームに広がる単一の送信として、１の拡散率で送信される、Ｃ６０に記載の方法。